(57)【要約】【課題】地山側から土水圧が作用した場合にも所定の耐力を保持することができる合成セグメントおよび合成セグメントの製造方法を提供する。【解決手段】トンネル軸方向Ｄに所定の間隔をあけて配されてトンネル周方向Ｃに延びる一対の主桁２，２と、一対の主桁２，２のトンネル周方向Ｃの両端部に一対の主桁２，２間を渡すように接合された継手板３，３と、主桁２，２および継手板３，３のトンネル径方向外側に接合されたスキンプレート４と、一対の主桁２，２、継手板３，３およびスキンプレート４で形成された鋼殻５の内部に充填されたコンクリート６と、を備え、コンクリート６の内部には、トンネル径方向Ｅ内側にトンネル周方向Ｃに延びてトンネル軸方向Ｄに所定の間隔をあけて配された複数の第１主鉄筋７，７…と、第１主鉄筋７，７…を囲うフープ筋９と、スキンプレート４に接合されるとともにフープ筋９が定着される定着部材１０と、が設けられている。【選択図】図２
2015078533.tif 000002
【特許請求の範囲】
【請求項１】
トンネルの掘削穴の内壁に沿ってトンネル周方向およびトンネル軸方向に複数連結される円弧版状の合成セグメントにおいて、
前記トンネル軸方向に所定の間隔をあけて配されて前記トンネル周方向に延びる一対の主桁と、
該一対の主桁の前記トンネル周方向の両端部に該一対の主桁間を渡すように接合された継手板と、
前記主桁および前記継手板のトンネル径方向外側に接合されたスキンプレートと、
前記一対の主桁、前記継手板および前記スキンプレートで形成された鋼殻の内部に充填されたコンクリートと、を備え、
該コンクリートの内部には、
前記トンネル径方向内側に前記トンネル周方向に延びて前記トンネル軸方向に所定の間隔をあけて配された複数の第１主鉄筋と、
該第１主鉄筋を囲繞するフープ筋と、
前記スキンプレートに接合されるとともに前記フープ筋が定着される定着部材と、が設けられていることを特徴とする合成セグメント。
【請求項２】
前記定着部材は、頭付きスタッドジベルまたはＴ形鋼またはＬ形鋼またはＣ形鋼またはＪ字状鋼材から構成されていることを特徴とする請求項１に記載の合成セグメント。
【請求項３】
前記定着部材と前記スキンプレートとは、溶接されていて、
前記定着部材と前記フープ筋とは溶接されている、または前記定着部材に形成された孔部に前記フープ筋が挿入されている、または前記定着部材に形成された突出部に前記フープ筋が掛けられていることを特徴とする請求項１または２に記載の合成セグメント。
【請求項４】
前記定着部材は、前記トンネル周方向および前記トンネル軸方向の両方または一方に所定の間隔をあけて複数配列されていて、前記トンネル周方向および前記トンネル軸方向の両方または一方に隣り合う前記定着部材の仮想のコーン破壊面は、それぞれ連続していることを特徴とする請求項１乃至３のいずれか１項に記載の合成セグメント。
【請求項５】
前記フープ筋は、前記複数の第１主鉄筋を１本ずつ囲繞していて、１つずつ前記定着部材に定着していることを特徴とする請求項１乃至４のいずれか１項に記載の合成セグメント。
【請求項６】
前記コンクリートの内部には、前記第１主鉄筋よりもトンネル径方向外側に、前記トンネル周方向に延びる複数の第２主鉄筋が前記トンネル軸方向に所定の間隔をあけて配されていて、該複数の第２主鉄筋は、前記第１主鉄筋とともに前記フープ筋に囲繞されていることを特徴とする請求項１乃至５のいずれか１項に記載の合成セグメント。
【請求項７】
前記コンクリートの内部には、略三角形の板状に形成されてその面外方向を前記トンネル周方向とするとともにその端面が前記主桁および前記スキンプレートにそれぞれ連結された連結部材が、１つまたは前記トンネル周方向に所定の間隔をあけて複数設けられていることを特徴とする請求項１乃至６のいずれか１項に記載の合成セグメント。
【請求項８】
請求項１乃至７のいずれか１項に記載の合成セグメントを製造する合成セグメントの製造方法であって、
前記一対の主桁の前記トンネル周方向の両端部に該一対の主桁間を渡すように前記継手板を接合し、前記一対の主桁および前記継手板の前記トンネルの地山側に前記スキンプレートを接合して鋼殻を形成する鋼殻形成工程と、
前記スキンプレートに前記定着部材を接合する定着部材接合工程と、
前記鋼殻内部に前記複数の第１主鉄筋およびフープ筋を配筋する配筋工程と、
前記フープ筋を前記定着部材に定着させるフープ筋定着工程と、
前記鋼殻の内部に前記コンクリートを充填するコンクリート充填工程と、を備えることを特徴とする合成セグメントの製造方法。
【発明の詳細な説明】
【技術分野】
【０００１】
本発明は、鋼製の円弧版状枠体（鋼殻）内にコンクリートを充填して製造された合成セグメントおよび合成セグメントの製造方法に関する。
【背景技術】
【０００２】
従来、地山に掘削穴を掘削しつつ、その内面に円弧版状のセグメントをトンネル周方向およびトンネル軸方向に複数連結して筒状壁体を構築することによりトンネルを形成するシールド工法において、鋼製の円弧版状枠体（鋼殻）内にコンクリートを充填して製造された合成セグメントが知られている。
このような合成セグメントは、鋼殻の内部にコンクリートが充填されることによって、鋼製部材の腐食が防止されている。また、合成セグメントのコンクリートが内空側に露出する場合には、この内空側の表面を滑らかに形成することができ、トンネル内の流通体の摩擦損失を小さくすることができる。
また、コンクリート内部における内空側に、トンネル周方向に延びる円弧状の主鉄筋を配置し、曲げ耐力を増加させるようにした合成セグメントも知られている（例えば、特許文献１参照）。
【先行技術文献】
【特許文献】
【０００３】
【特許文献１】特開平８−２７７６９８号公報
【発明の概要】
【発明が解決しようとする課題】
【０００４】
ここで、トンネルにおいて地山側から土水圧が作用すると、合成セグメントにおける地山側にはトンネル周方向の圧縮力が作用し、内空側にはトンネル周方向の引張力が作用する。そして、この引張力のトンネル径方向の分力（腹圧力）は、主鉄筋に対してトンネル径方向内側に向かって作用するため、円弧状の主鉄筋が直線状に変形し内空側のかぶりコンクリートを剥離させて、急激な耐力低下を引き起こす虞がある。
また、地山側に作用する圧縮力のトンネル径方向の分力はスキンプレート（鋼殻の地山側の鋼板）に対してトンネル径方向外側に向かって作用するため、スキンプレートが面外変形する虞がある。
【０００５】
本発明は、上述する問題点に鑑みてなされたもので、地山側から土水圧が作用した場合にも所定の耐力を保持することができる合成セグメントおよび合成セグメントの製造方法を提供することを目的とする。
【課題を解決するための手段】
【０００６】
上記目的を達成するため、本発明に係る合成セグメントは、掘削穴の内壁に沿ってトンネル周方向およびトンネル軸方向に複数連結されてトンネルを形成する円弧版状の合成セグメントにおいて、前記トンネル軸方向に所定の間隔をあけて配されて前記トンネル周方向に延びる一対の主桁と、該一対の主桁の前記トンネル周方向の両端部に該一対の主桁間を渡すように接合された継手板と、前記主桁および前記継手板のトンネル径方向外側に接合されたスキンプレートと、前記一対の主桁、前記継手板および前記スキンプレートで形成された鋼殻の内部に充填されたコンクリートと、を備え、該コンクリートの内部には、前記トンネル径方向内側に前記トンネル周方向に延びて前記トンネル軸方向に所定の間隔をあけて配された複数の第１主鉄筋と、該第１主鉄筋を囲繞するフープ筋と、前記スキンプレートに接合されるとともに前記フープ筋が定着される定着部材と、が設けられていることを特徴とする。
【０００７】
また、本発明に係る合成セグメントの製造方法は、上記合成セグメントを製造する合成セグメントの製造方法であって、前記一対の主桁の前記トンネル周方向の両端部に該一対の主桁間を渡すように前記継手板を接合し、前記一対の主桁および前記継手板の前記トンネルの地山側に前記スキンプレートを接合して鋼殻を形成する鋼殻形成工程と、前記スキンプレートに定着部材を接合する定着部材接合工程と、前記鋼殻内部に前記複数の第１主鉄筋およびフープ筋を配筋する配筋工程と、前記フープ筋を前記定着部材に定着させるフープ筋定着工程と、前記鋼殻の内部に前記コンクリートを充填するコンクリート充填工程と、を備えることを特徴とする。
【０００８】
本発明では、第１主鉄筋がフープ筋に囲繞されていて、このフープ筋がスキンプレートに接合された定着部材に定着していることにより、第１主鉄筋とスキンプレートとが連結した構造となる。
そして、トンネルに地山側から土水圧が作用すると、合成セグメントには地山側にトンネル周方向の圧縮力が作用し、内空側にトンネル周方向の引張力が作用する。通常、この引張力のトンネル径方向の分力（腹圧力）によって第１主鉄筋が直線状になろうとするとともに、圧縮力のトンネル径方向の分力によってスキンプレートが面外方向に変形しようとするが、本発明では、第１主鉄筋とスキンプレートとが連結されていることにより、それぞれに作用するトンネル径方向反対側の分力が相殺され、第１主鉄筋およびスキンプレートの変形および変位を防止することができる。
これにより、第１主鉄筋が変形・変位してかぶりコンクリートが剥離したり、付着割裂破壊したりするなど、合成セグメントが変形することがないため、合成セグメントを常に所定の耐力に保持することができる。
さらに、スキンプレートの変形を防止することにより、一般に設計で用いられるスキンプレート板厚の２５倍というスキンプレートの有効幅を、さらに増加させることができ、経済的な設計が可能となる。
【０００９】
また、本発明に係る合成セグメントでは、前記定着部材は、頭付きスタッドジベルまたはＴ形鋼またはＬ形鋼またはＣ形鋼またはＪ字状鋼材から構成されていてもよい。
【００１０】
このようにすることにより、定着部材は、フープ筋を確実に定着することができて、第１主筋とスキンプレートとを確実に連結することができる。
また、定着部材には特殊な部材を使用せずに、通常に流通している部材を使用することができる。
【００１１】
また、本発明に係る合成セグメントでは、前記定着部材と前記スキンプレートとは、溶接されていて、前記定着部材と前記フープ筋とは溶接されている、または前記定着部材に形成された孔部に前記フープ筋が挿入されている、または前記定着部材に形成された突出部に前記フープ筋が掛けられていることが好ましい。
【００１２】
このようにすることにより、定着部材とスキンプレートとが確実かつ強固に接合されるとともに、定着部材とフープ筋とが確実かつ強固に接合されるため、定着部材を介してスキンプレートとフープ筋とを物理的に拘束し、確実かつ強固に連結させることができる。
【００１３】
また、本発明に係る合成セグメントでは、前記定着部材は、前記トンネル周方向および前記トンネル軸方向の両方または一方に所定の間隔をあけて複数配列されていて、前記トンネル周方向および前記トンネル軸方向の両方または一方に隣り合う前記定着部材の仮想のコーン破壊面は、それぞれ連続していることが好ましい。
【００１４】
定着部材がコンクリートを破壊してトンネル径方向に抜け出す場合には、コーン破壊することになり、コーン破壊すると、コーン破壊面が生じることになる。本発明では、コーン破壊したと仮想した場合のコーン破壊面を仮想のコーン破壊面としている。
そして、各定着部材による仮想のコーン破壊面がそれぞれ過不足なく連続することにより、仮想のコーン破壊面が効率的に繋がった補剛領域が形成されるため、定着部材の配置を調整することで合成セグメントの補剛領域を容易に形成することができる。そして、この補剛領域によって、トンネル周方向およびトンネル軸方向の両方または一方に伝達される応力に対して確実に抵抗することができるため、トンネルに地山側から土水圧が作用した場合に、コンクリートとスキンプレートとが離間することを防止することができる。
【００１５】
また、本発明に係る合成セグメントでは、前記フープ筋は、前記複数の第１主鉄筋を１本ずつ囲繞していて、１つずつ前記定着部材に定着していてもよい。
【００１６】
このようにすることにより、第１主鉄筋とスキンプレートとがフープ筋および定着部材を介して確実に連結されるため、第１主鉄筋およびスキンプレートの変形や変位を確実に防止することができる。
【００１７】
また、本発明に係る合成セグメントでは、前記コンクリートの内部には、前記第１主鉄筋よりもトンネル径方向外側に、前記トンネル周方向に延びる複数の第２主鉄筋が前記トンネル軸方向に所定の間隔をあけて配されていて、該複数の第２主鉄筋は、前記第１主鉄筋とともに前記フープ筋に囲繞されていてもよい。
【００１８】
このようにすることにより、合成セグメントの耐力を増大させることができる。
また、スキンプレート、第１主鉄筋および第２主鉄筋それぞれに作用するトンネル径方向の分力を相殺させる構成とすることができるため、スキンプレートと第１主鉄筋のみでトンネル径方向の分力を相殺させる構成と比べて、トンネル径方向の分力を確実に相殺させることができ、スキンプレートや第１主鉄筋の変形や変位を確実に防止することができる。
【００１９】
また、本発明に係る合成セグメントでは、前記コンクリートの内部に、略三角形の板状に形成されてその面外方向を前記トンネル周方向とするとともにその端面が前記主桁および前記スキンプレートにそれぞれ連結された連結部材が、１つまたは前記トンネル周方向に所定の間隔をあけて複数設けられていることが好ましい。
【００２０】
このようにすることにより、スキンプレートと主桁とが連結部材によって確実に連結され、スキンプレートに作用する面外方向の力を連結部材を介して主桁に伝達させることができるため、スキンプレートの座屈強度を高めることができる。
【発明の効果】
【００２１】
本発明によれば、第１主鉄筋が変形・変位してかぶりコンクリートが剥離したり、付着割裂破壊したりするなど、合成セグメントが変形することがないため、合成セグメントを常に所定の耐力に保持することができる。
【図面の簡単な説明】
【００２２】
【図１】本発明の第１実施形態による合成セグメントの鋼殻の内部の一例を示す図である。
【図２】（ａ）は図１のＡ−Ａ線断面図、（ｂ）は図１のＢ−Ｂ線断面図である。
【図３】定着部材による仮想のコーン破壊面を説明する図である。
【図４】第２実施形態による合成セグメントを説明する図である。
【図５】第３実施形態による合成セグメントを説明する図である。
【図６】第３実施形態の定着部材による仮想のコーン破壊面を説明する図である。
【図７】第４実施形態による合成セグメントを説明する図である。
【図８】第５実施形態による合成セグメントを説明する図である。
【発明を実施するための形態】
【００２３】
（第１実施形態）
以下、本発明の第１実施形態による合成セグメントおよび合成セグメントの製造方法について、図１乃至図３に基づいて説明する。
図１および図２に示す第１実施形態による合成セグメント１Ａは、例えば、シールド工法における、地山Ｆに掘削されたトンネルの掘削穴の内壁に沿ってトンネルの周方向（図中の矢印Ｃの方向）およびトンネルの軸方向（図中の矢印Ｄの方向、合成セグメント１Ａの幅方向と同じ）に複数連結されて筒状壁体を構築している。合成セグメント１Ａは、トンネルの掘削穴の内面の曲率半径と略等しい曲率半径を備える円弧版状に形成されている。
【００２４】
図２に示すように、合成セグメント１Ａは、合成セグメント１Ａのトンネル軸方向Ｄの両端部にそれぞれ配された一対の主桁２，２と、一対の主桁２，２のトンネル周方向Ｃの両端部にそれぞれ接合された一対の継手板３，３と、主桁２，２および継手板３，３の、トンネルの地山Ｆ側に接合された円弧面状のスキンプレート４と、を備える円弧版状枠体の鋼殻５の内部に、コンクリート６が充填されて形成されている。
そして、このコンクリート６の内部には、内空Ｇ側にトンネル周方向Ｃに円弧状に延びる複数の第１主鉄筋７，７…が配されて、地山Ｆ側にトンネル周方向Ｃに延びる複数の第２主鉄筋８，８…が配されている。そして、複数の第１主鉄筋７，７…および第２主鉄筋８，８…は、所定の本数ずつフープ筋９に囲われて結束され、フープ筋９は、スキンプレート４に接合された定着部材１０に定着している。
【００２５】
複数の第１主鉄筋７，７…および第２主鉄筋８，８…は、例えば異形鉄筋などで構成され、トンネル軸方向Ｄに所定の間隔をあけて、コンクリート６部分のトンネル軸方向Ｄの全長さにわたってほぼ均等に配列されている。
第１実施形態では、第１主鉄筋７と第２主鉄筋８とが同じ本数となるように設定されている。また、配列された第１主鉄筋７，７…および第２主鉄筋８，８…とは、トンネルの径方向（図中の矢印Ｅの方向）において重なる位置に配置されている。
【００２６】
フープ筋９は、例えば丸鋼などが、トンネル周方向Ｃから見て略四角形のフープ状となるように曲げられて形成されている。
すべての第１主鉄筋７，７…および第２主鉄筋８，８…のうち、トンネル軸方向Ｄに連続して配列された複数の第１主鉄筋７，７…および、複数の第２主鉄筋８，８…がフープ筋９の内部に配されていて、これらの複数の第１主鉄筋７，７…および複数の第２主鉄筋８，８…は、フープ筋９に囲われて結束されている。
【００２７】
定着部材１０は、頭付スタッドジベルで構成され、トンネル周方向Ｃおよびトンネル軸方向Ｄに所定の間隔をあけて複数配列されている。図２（ｂ）に示すように、トンネル周方向Ｃに隣り合う定着部材１０，１０の間隔は、トンネル周方向Ｃに隣り合うフープ筋９の間隔とほぼ同じとなるように設定されている。
定着部材１０は、頭付スタッドジベルの脚部１０ａがスキンプレート４の内空Ｇ側に溶接されていて、頭部１０ｂがフープ筋９と接合されている。
定着部材１０とフープ筋９とは、例えば、溶接されたり、結束線などで結束されたりして接合されている。
また、定着部材１０とフープ筋９とは、定着部材１０に形成された孔部にフープ筋９が挿通されたり、定着部材１０に備えられた突出部にフープ筋９が掛けられたりして、接合されていてもよい。
これにより、フープ筋９が定着部材１０に定着し、フープ筋９および定着部材１０を介して第１主鉄筋７、第２主鉄筋８およびスキンプレート４が連結されている。
【００２８】
ここで、トンネルにおいて地山Ｆ側から土水圧が作用した場合の、合成セグメント１Ａに作用する応力について説明する。
トンネルにおいて地山Ｆ側から土水圧が作用すると、合成セグメント１Ａにおける地山Ｆ側にトンネル周方向Ｃの圧縮力が作用し、内空Ｇ側にトンネル周方向Ｃの引張力が作用する。そして、引張力のトンネル径方向Ｅの分力（腹圧力）は、第１主鉄筋７に対してトンネル径方向Ｅ内側に向かって作用し、円弧状の第１主鉄筋７はトンネル周方向Ｃの中央部が内空Ｇ側に変位して直線状になろうとする。
【００２９】
また、圧縮力のトンネル径方向Ｅの分力は、スキンプレート４に対してトンネル径方向Ｅ外側に向かって作用し、スキンプレート４は、トンネル周方向Ｃの中央部が地山Ｆ側へ突出するように面外変形しようとする。
そして、スキンプレート４が面外変形しようとすることにより、スキンプレート４と接合された定着部材１０の頭部１０ｂが地山Ｆ側に変位しようとしてコンクリート６を支圧する。このため、図３に示すように、各定着部材１０の頭部１０ｂから地山Ｆ側のコンクリート６に対して仮想のコーン破壊面６１が形成されている。
そして、第１実施形態では、トンネル周方向Ｃおよびトンネル軸方向Ｄに隣り合う定着部材１０，１０…のコーン破壊面６１，６１…がそれぞれ連続するように定着部材１０の配置が設定されている。
【００３０】
続いて、上述した第１実施形態による合成セグメント１Ａの製造方法について説明する。
まず、図２に示す一対の主桁２，２のトンネル周方向Ｃの両端部にそれぞれ一対の主桁２，２間を渡すように継手板３，３を接合し、一対の主桁２，２および一対の継手板３，３の地山Ｆ側にスキンプレート４を接合して鋼殻５を形成する（鋼殻形成工程）。
続いて、スキンプレート４に定着部材１０を接合する（定着部材接合工程）。このとき、定着部材１０の脚部１０ａをスキンプレート４に溶接する。
【００３１】
続いて、鋼殻５内部に第１主鉄筋７，７…、第２主鉄筋８，８…、およびフープ筋９，９…を配筋する（配筋工程）。
続いて、フープ筋９と定着部材１０とを接合する（フープ筋定着工程）。
続いて、鋼殻５の内部にコンクリート６を充填する（コンクリート充填工程）。
そして、コンクリート６が硬化し、所定の強度となることで合成セグメント１Ａが製造される。
なお、予めスキンプレート４に定着部材１０を接合しておき、定着部材１０が接合されたスキンプレート４を一対の主桁２，２および一対の継手板３，３に接合して鋼殻５を形成してもよい。
【００３２】
次に、上述した第１実施形態による合成セグメント１Ａの作用・効果について図１乃至図３を用いて説明する。
第１実施形態による合成セグメント１Ａによれば、スキンプレート４と第１主鉄筋７，７…とは、フープ筋９および定着部材１０を介して連結されているため、上述した圧縮力のトンネル径方向Ｅの分力と引張力のトンネル径方向Ｅの分力とが相殺され、スキンプレート４や第１主鉄筋７，７…の変形や変位を防止することができる。
ここで、スキンプレート４と第１主鉄筋７，７…とが連結されていないと、スキンプレート４が、圧縮力のトンネル径方向Ｅの分力によってトンネル周方向Ｃの中央部が地山Ｆ側へ突出するように面外変形し、コンクリート６と離間するとともに、第１主鉄筋７，７…が、引張力のトンネル径方向Ｅの分力によってトンネル周方向Ｃの中央部が内空Ｇ側に移動して直線状になり、コンクリート６の内空Ｇ側表面のかぶりコンクリートが剥離したり、付着割裂破壊したりするなどの事態が起こる虞があるが、第１実施形態では、このような事態が起こることを防止できて、地山Ｆ側から土水圧が作用した場合にも合成セグメント１Ａの耐力を保持することができる。
【００３３】
また、第１実施形態では、合成セグメント１Ａにおける地山Ｆ側に第２主鉄筋８，８が設けられているため、地山Ｆ側から土水圧が作用した場合に、この第２主鉄筋８，８にも圧縮力のトンネル径方向Ｅ外側方向の分力が作用する。そして、第１主鉄筋７，７…および第２主鉄筋８，８…がフープ筋９に囲繞されていることにより、第２主鉄筋８，８…に作用する圧縮力のトンネル径方向Ｅ外側方向の分力がスキンプレート４に作用する圧縮力のトンネル径方向Ｅ外側方向の分力とともに第１主鉄筋７，７…に作用する引張力のトンネル径方向Ｅ内側方向の分力を相殺させることができる。
【００３４】
また、第１実施形態では、トンネル周方向Ｃおよびトンネル軸方向Ｄに隣り合う定着部材１０の仮想のコーン破壊面６１が連続していることにより、仮想のコーン破壊面６１が効率的に繋がった補剛領域が形成されるため、補剛領域を容易に形成することができるとともに、これらの補剛領域が合成セグメント１Ａに作用するトンネル周方向Ｃおよびトンネル軸方向Ｄの応力に対して確実に抵抗することができる。
これにより、スキンプレート４とコンクリート６とが離間することが防止されるため、スキンプレート４とコンクリート６とが確実に一体化し、高品質の合成構造を形成することができる。
また、定着部材１０は、頭付スタッドジベルで構成されていることにより、スキンプレート４とコンクリート６とを確実に一体化させることができる。
【００３５】
（第２実施形態）
次に、他の実施形態について、添付図面に基づいて説明するが、上述の第１実施形態と同一又は同様な部材、部分には同一の符号を用いて説明を省略し、第１実施形態と異なる構成について説明する。
図４に示すように、第２実施形態による合成セグメント１Ｂは、定着部材１０Ｂに、第１実施形態の定着部材１０に使用されたスタッドジベルに代えて、丸鋼などの棒状の鋼材を略Ｊ字状となるように曲げられて形成された部材（Ｊ字状鋼材）が使用されている。そして、この定着部材１０Ｂは、第１実施形態と同様にトンネル軸方向Ｄおよびトンネル周方向Ｃに所定の間隔をあけて複数配列されている。
【００３６】
定着部材１０Ｂは、略Ｊ字状の湾曲部１１に対して一方の端部１２側が他方の端部１３側より長く形成されていて、一方の端部１２がスキンプレート（不図示）に溶接されている、このとき、定着部材１０Ｂは、トンネル軸方向Ｄから見て略Ｊ字状となる向きに設置されている。そして、定着部材１０Ｂは、湾曲部１１にフープ筋９が掛けられるように構成されていて、湾曲部１１にフープ筋９が掛けられることでフープ筋９が定着している。
なお、湾曲部１１に掛けられたフープ筋９は、必要に応じて溶接されたり結束線で結束されたりしてもよい。
【００３７】
第２実施形態による合成セグメント１Ｂによれば、第１実施形態と同様の効果を奏するとともに、フープ筋９を定着部材１０Ｂに容易に定着させることができる。
【００３８】
（第３実施形態）
図５に示すように、第３実施形態による合成セグメント１Ｃは、定着部材１０Ｃに、第１実施形態の定着部材１０に使用されたスタッドジベルに代えて、Ｌ形鋼が使用されている。
定着部材１０Ｃは、トンネル周方向Ｃに延在するように設けられて、直交する一対の板部１４，１５のうち一方の板部１４の他方の板部１５と接合されている側と反対側の端面１４ａがスキンプレート（不図示）に溶接されている。
【００３９】
そして、一方の板部１４には、延在方向（トンネル周方向Ｃ）に所定の間隔をあけて複数の孔部１４ｂ，１４ｂ…が形成されていて、この孔部１４ｂ，１４ｂ…にそれぞれフープ筋９が挿通されるように構成されている。このため、トンネル周方向Ｃに隣り合う孔部１４ｂ，１４ｂの間隔は、トンネル軸方向Ｄに隣り合うフープ筋９，９の間隔と略同一となるように設定されている。
そして、定着部材１０Ｃは、各孔部１４ｂ，１４ｂ…にそれぞれフープ筋９，９…が挿通されることでフープ筋９，９…が定着するように構成されている。
【００４０】
定着部材１０Ｃは、トンネル周方向Ｃに配列されたすべてのフープ筋９，９…が定着可能な長さのＬ形鋼としてもよいし、トンネル周方向Ｃに複数に分割された長さのＬ形鋼としてもよい。
そして、第３実施形態の定着部材１０Ｃでは、図６に示すように、他方の板部１５による仮想のコーン破壊面６１Ｃが形成されるため、隣り合う定着部材１０Ｃ，１０Ｃによる仮想のコーン破壊面６１Ｃが連続するように定着部材１０Ｃの形状および配置を設定することが好ましい。
【００４１】
第３実施形態による合成セグメント１Ｃによれば、第１実施形態と同様の効果を奏する。
【００４２】
（第４実施形態）
図７に示すように、第４実施形態による合成セグメント１Ｄは、第２主鉄筋８が配されていないとともに、フープ筋９、９…が複数の第１主鉄筋７，７…を１本ずつ囲繞していて、フープ筋９，９…が１つずつ定着部材１０に定着している。
【００４３】
第４実施形態による合成セグメント１Ｄによれば、第１主鉄筋７，７…とスキンプレート４とがフープ筋９および定着部材１０を介して確実に連結されるため、第１主鉄筋７，７…およびスキンプレート４の変形や変位を確実に防止することができる。
【００４４】
（第５実施形態）
図８に示すように、第５実施形態による合成セグメント１Ｅは、主桁２，２およびスキンプレート４に連結された連結部材（リブ）１６が、トンネル周方向Ｃ（図１参照）に間隔をあけて複数設けられている。
連結部材１６は、例えば鋼板などでトンネル周方向Ｃ視において略三角形の板状に形成されていて、第１の端面１６ａが主桁２に連結され、第２の端面１６ｂがスキンプレート４に接合され、第３の端面１６ｃがコンクリート６に面している。
この連結部材１６は、第１実施形態の合成セグメント１Ａの製造方法における、鋼殻形成工程または定着部材接合工程において主桁２，２およびスキンプレート４に連結されることが好ましい。
【００４５】
第５実施形態による合成セグメント１Ｅによれば、主桁２とスキンプレート４とが連結部材１６を介して確実に連結され、スキンプレート４に作用する面外方向の力を連結部材１６を介して主桁２，２に伝達させることができるため、スキンプレート４の座屈強度を向上させることができる。
【００４６】
以上、本発明による合成セグメントおよび合成セグメントの製造方法の実施形態について説明したが、本発明は上記の実施形態に限定されるものではなく、その趣旨を逸脱しない範囲で適宜変更可能である。
上記の実施形態では、合成セグメント１Ａ〜１Ｅは、一対の主桁２，２および一対の継手板３，３の地山Ｆ側のみにスキンプレート４が設けられているが、一対の主桁２，２および一対の継手板３，３の内空Ｇ側にも円弧面状のスキンプレート４が設けられた構成としてもよい。
また、上記の実施形態では、定着部材１０は、頭付スタッドジベル、Ｊ字状鋼材、Ｌ形鋼などとしているが、他にＴ形鋼やＣ形鋼（チャンネル材）などとしてもよく、定着部材１０とスキンプレート４との接合や、定着部材１０とフープ筋９との接合は、溶接や結束筋による結束以外の方法で行われてもよい。
また、上記の実施形態では、主桁２は、平板で形成され、断面形状が矩形状となるように形成されているが、トンネル径方向Ｅの内空Ｇ側または地山Ｆ側またはその両方の端部に、トンネル軸方向Ｄに突出する突出板（フランジ）が備えられていて、断面形状が略Ｌ字形、略Ｉ字形、略Ｃ字形（略コの字形）などとなるように形成されていてもよい。
【００４７】
また、上記の実施形態では、トンネル周方向Ｃおよび前記トンネル軸方向Ｄに隣り合う定着部材１０，１０の仮想のコーン破壊面６１，６１は、それぞれ連続しているが連続していなくてもよい。
また、定着部材１０は、スキンプレート４とフープ筋９とを連結できるようであれば、上記の実施形態のような形状以外の部材を使用してもよい。このとき、定着部材１０によって仮想のコーン破壊面６１が形成されなくてもよい。
【００４８】
また、上記の実施形態では、複数の第１主鉄筋７，７は、トンネル軸方向Ｄに所定の間隔をあけて、コンクリート６部分のトンネル軸方向Ｄの全長さにわたってほぼ均等に配列されているが、コンクリート６部分のトンネル軸方向Ｄにおいて均等に配列されていなくてもよい。
例えば、複数の第１主鉄筋７，７は、コンクリート６部分のトンネル軸方向Ｄの中央部においてトンネル軸方向Ｄの両端部（主桁２，２近傍）よりも密に配列されていてもよい。通常、合成セグメントでは、主桁２，２近傍のトンネル軸方向Ｄの両端部側よりも、中央部の方が剛性が低いため、複数の第１主鉄筋７，７が上記のように配列されることにより、合成セグメント１Ａ〜１Ｅ全体における剛性をトンネル軸方向Ｄにおいて均一にすることができる。
これにより、スキンプレート４が部分的に面外変形したり、一部の第１主鉄筋７，７…が変形・変位してかぶりコンクリートが剥離したり、付着割裂破壊したりするなどの事態が起こることを防止することができる。なお、第２主鉄筋８，８…についても、同様に配列されてもよい。
【００４９】
また、上記の第５実施形態では、合成セグメント１Ｅに連結部材１６が設けられているが、第５実施形態以外の実施形態による合成セグメント１Ａ〜１Ｄに連結部材１６を設けてもよい。
【符号の説明】
【００５０】
１Ａ〜１Ｅ  合成セグメント
２  主桁
３  継手板
４  スキンプレート
５  鋼殻
６  コンクリート
７  第１主鉄筋
８  第２主鉄筋
９  フープ筋
１０，１０Ｂ，１０Ｃ  定着部材
１６  連結部材
６１，６１Ｃ  仮想のコーン破壊面
Ｃ  トンネル周方向
Ｄ  トンネル軸方向
Ｅ  トンネル径方向
Ｆ  地山
Ｇ  内空
【図１】
2015078533.tif 000003
【図２】
2015078533.tif 000004
【図３】
2015078533.tif 000005
【図４】
2015078533.tif 000006
【図５】
2015078533.tif 000007
【図６】
2015078533.tif 000008
【図７】
2015078533.tif 000009
【図８】
2015078533.tif 000010